(57)【要約】マトリクス形式の表示装置（１）は、部分的ライン２重化、即ち、同じデータが画素の組について使用されることを意味する、画素についての１つ又はそれ以上のサブフィールドが２重化される方法、を使用してアドレスされる。行内の隣接画素は、サブフィールドの異なる組み合わせを適用することにより、異なるグレーレベル実現を使用してアドレスされる。部分的ライン２重化は、同じグレーレベル実現を使用してアドレスされる列内の隣接画素の組に実行される。標準パターンＡ／Ｂ又は、第２パターン（ｎｘ１Ａ／Ｂ）のいずれかを適用することにより、２つの異なるアドレッシング機構が、使用されてもよい。後者のパターンを適用するときには、部分的ライン２重化は、ラインスキッピングの方法で実行される。【特許請求の範囲】
【請求項１】
行と列のラインに配置された画素を有する、マトリクス表示装置で表示されるべき元の輝度値データに基づいて新たな輝度値データを決定する方法であって、前記輝度値データはサブフィールドに符号化され、幾つかのサブフィールドについて共通値が、ラインの組について決定され、
前記元のデータは、サブフィールドの異なる組合せを適用することにより１より多くのグレーレベル実現を可能とするように符号化され、前記グレーレベル実現は、行内で互いに隣接する画素について異なり、サブフィールドについての前記共通値は、同じグレーレベル実現を有する列内の画素の組について決定される、ことを特徴とする方法。
【請求項２】
最も低い１又は２値を有するサブフィールドは、２重化されず、より高い値を有する１つ又はそれ以上のサブフィールドは、２重化されることを特徴とする請求項１に記載の方法。
【請求項３】
列内で互いに隣接する画素についてのサブフィールドは、異なるグレーレベル実現を有する、ことを特徴とする請求項１或は２に記載の方法。
【請求項４】
前記共通値は、それぞれ、隣接する奇数ラインの対と、隣接する偶数ラインの対について、決定される、ことを特徴とする請求項３に記載の方法。
【請求項５】
非２重化サブフィールドは、インターレースの方法でアドレスされることを特徴とする請求項３に記載の方法。
【請求項６】
列内の互いに隣接する画素の対は、同じグレーレベル実現を有する、ことを特徴とする請求項１に記載の方法。
【請求項７】
列内の画素の隣接する対は、異なるグレーレベル実現を有する、ことを特徴とする請求項６に記載の方法。
【請求項８】
非２重化サブフィールドは、インターレースの方法でアドレスされることを特徴とする請求項６に記載の方法。
【請求項９】
画素のラインの組を有する表示パネルと、元のライン輝度値を基礎として画素の新たな輝度値を決定するために画素の元のライン輝度値を有する連続するフレームを表す入力信号を受信するデータ処理ユニットと、前記ラインへ新たなライン輝度値を供給する駆動回路を有するマトリクス表示装置であって、前記駆動回路は選択されたサブフィールドについての同じ値を有するｇラインのグループをアドレスする手段を有し、
前記元の値は、サブフィールドの異なる組合せを適用することにより１より多くのグレーレベル実現を可能とするように符号化され、前記グレーレベル実現は、行内で互いに隣接する画素について異なり、前記ユニットは、同じグレーレベル実現を使用することにより符号化される列内の画素の組についてのサブフィールドについての前記共通値を決定する決定器を有する、ことを特徴とする、マトリクス表示装置。
【発明の詳細な説明】
【０００１】
本発明は、行と列のラインに配置された画素を有する、マトリクス表示装置で表示されるべき元の輝度値データに基づいて新たな輝度値データを決定する方法に関連し、前記輝度値データはサブフィールドに符号化され、幾つかのサブフィールドについて共通値が、ラインの組について決定される。
【０００２】
本発明は、前記方法に従って、マトリクス表示装置で表示されるべき元の輝度値データに基づいて新たな輝度値データを決定するマトリクス表示装置にも関連する。
【０００３】
本発明は、例えば、パーソナルコンピュータ、テレビジョン受信機等で使用される、プラズマディスプレイパネル（ＰＤＰ）、プラズマアドレスされた液晶パネル（ＰＡＬＣ）、液晶ディスプレイ（ＬＣＤ）、ポリマＬＥＤ（ＰＬＥＤ）及び、エレクトロルミネッセンス（ＥＬ）ディスプレイに使用され得る。
【０００４】
マトリクス表示装置は、通常は行方向と呼ばれる、第１の方向に伸びる第１の組のデータライン（行）ｒ１．．．ｒＮ、及び、通常は列方向と呼ばれ、第１の組のデータラインと交差し各交差点は画素（ドット）を定義する、第２の方向に伸びる第２の組のデータライン（行）ｃ１．．．ｃＭを有する。
【０００５】
マトリクス表示装置は、表示されるべきラインの輝度値データに関する情報を含む情報信号を受信する手段と、情報信号に依存して第１の組のデータライン（行）ｒ１．．．ｒＮをアドレスする手段を有する。輝度値データは、以後モノクロームディスプレイの場合にはグレーレベルであり、そして、カラーディスプレイの場合には、カラー成分（例えば、ＲＧＢ）の個々のレベルであると理解される。
【０００６】
そのような表示装置は、第１の組のデータライン（行）を、ライン毎に、アドレスすることによりフレームを表示し、各ライン（行）は表示されるべき適切なデータを連続して受信する。
【０００７】
上述のマトリクスディスプレイパネルの形式については、グレースケールの異なるレベルを生成するために、光の発生は、ＣＲＴディスプレイの場合のようには、強度的に変調されない。マトリクスディスプレイパネル形式では、グレーレベルは時間の変調で生成され、高輝度については、光の放射期間の継続時間は増加される。輝度データは、サブフィールドの組に符号化され、各々は、ゼロと最大レベルの間の光の強度の範囲を表示するために適切な継続時間又は重み有する。サブフィールドの異なる組み合わせは、異なるグレーレベルとなる。ここでグレースケールについて記載される、このサブフィールド分解は、カラーディスプレイの個々のカラーにも以後は適用される。
【０００８】
フレームを表示するのに必要な時間を減少させるために、多ラインアドレッシング法が、適用されうる。この方法では、１より多くの（通常は２つの）隣接、及び好ましくは第１の組のデータライン（行）の隣接ラインは、同時にアドレスされ、同じデータを受信しそして表示する。
【０００９】
このいわゆる２重ラインアドレッシング法は、（２つのラインが同時にアドレスされるときに）、ラインの各対が同じデータを受信するので、元の信号に関する品質の損失を犠牲にしている、各フレームが少ないアドレス動作を必要とするので、フレームの表示の高速化を可能とする。これは、ラインの複製による解像度及び／又は鮮明さの損失を引き起こす。
【００１０】
時間を獲得しながら解像度の損失を減少させるために、ライン２重化が幾つかのサブフィールドのみについてなされることが可能である。部分的ライン２重化は、解像度の損失を少なくする。
【００１１】
部分的ライン２重化の使用は、効果的である。数サブフィールドのみが２重化されると、少ない時間の利得のみを生じる。サブフィールド２重化が多すぎると、画像品質の許容できない損失を生じる。
【００１２】
品質に影響する他の面は、画素の駆動方法及び２重化されるサブフィールドの新たなデータの計算方法である。異なる結果を与える異なる計算方法が使用され得る。使用される方法は、観測者の目により見られて、最良の画像品質を与えるべきである。画像品質は、動的擬似カウンタリングのような動きアーティファクトのような、知覚された画像誤差にも依存する。
【００１３】
以下の単純な方法は、サブフィールドデータの２重化について使用されることが可能である：
奇数ラインの２重化されるべきサブフィールドのデータは、隣接の偶数ラインで使用される（ビットの単純なコピー）。
【００１４】
偶数ラインの２重化されるべきサブフィールドのデータは、隣りの又は隣接の奇数ラインで使用される（ビットの単純なコピー）。
【００１５】
画素の各対の２重化されるべきサブフィールドの平均データは、両新たなサブフィールド値について使用される。
【００１６】
ライン２重化されていないサブフィールドを計算で統合する、誤差最小化アルゴリズムも使用され得る。そのような最小化アルゴリズムの例は、Ｊ．Ｈｏｐｐｅｎｂｒｏｕｗｅｒｓ，Ｒ．ｖａｎ  Ｄｉｊｋ及びＴ．Ｈｏｌｔｓｌａｇによる、ＳＩＤ  ０１  ダイジェスト、パート４３．４の、”部分的ライン２重化によるＰＤＰのアドレス時間の減少（Ａｄｄｒｅｓｓ  Ｔｉｍｅ  Ｒｅｄｕｃｔｉｏｎ  ｉｎ  ＰＤＰｓ  ｂｙ  ｍｅａｎｓ  ｏｆ  Ｐａｒｔｉａｌ  Ｌｉｎｅ  Ｄｏｕｂｌｉｎｇ）”を参照する。
【００１７】
部分的ライン２重化機構で２重化される選択されたサブフィールドに依存して、解像度のある損失の犠牲で、そのような方法は、アドレッシング時間の減少を許す。
【００１８】
非バイナリサブフィールド即ち、非バイナリ分配を有するサブフィールド（例えば、重み１２，８，４，２，１，４，８，１２を有するサブフィールド）の使用は、改善された動画品質を生じる。一般的な非バイナリサブフィールド分配内では、同じグレーレベルが、サブフィールド値の異なる組み合わせを選択することにより、得られる。サブフィールドの組み合わせの異なる選択は、重みが同じであり、そして、実現の選択のみが異なるので、”異なる非バイナリ符号化”と呼ばれる。定義の容易のために、重みの特定の組み合わせが、以下でグレーレベル実現と呼ばれる。行内で互いに隣接する画素についての異なるグレーレベル実現を使用することは、隣接画素はフィールド時間で同じグレーレベルであるが、フィールド時間の正確に同じ時間で発光しないがしかし異なる時間で発光するという、効果を有する。例えば、’１２’のグレーレベルは、第１のサブフィールド’１２’、最後のサブフィールド’１２’、第１のサブフィールド’８’と最初又は最後のサブフィールド’４’によりなされることが可能である（これらの２つの実現については、重みは同じ即ち、８＋４、であるが、しかし実現は異なる）。行と列方向の隣接する画素についての異なる非バイナリ符号化を選択することは（”チェッカーボード”パターンを生成すること）、動きアーティファクトが異なるグレーレベル実現について異なり従って平滑化効果が発生するので、動きアーティファクトが見えにくくなるという効果を有する。
【００１９】
部分的ライン２重化と非線形バイナリサブフィールドを結合するときに、チェックボードのように隣接画素について異なる非バイナリ符号化を適用することにより動きアーティファクトを減少させる方法は、ライン２重化が適用されているサブフィールドについて適切に動作しない。
【００２０】
本発明の目的は、改善された画像品質を提供することにある。本発明は、独立請求項により定義される。従属請求項は、優位な実施例を定義する。
【００２１】
このために、本発明の第１の実施例に従った方法は、元のデータはサブフィールドの非バイナリコードで符号化され、サブフィールドの非バイナリコードは、行内の互いに隣接する画素について異なり、サブフィールドについての共通値は、同じ非バイナリコードで符号化された列内の画素の組について決定されることを特徴とする。
【００２２】
本発明のこの実施例内で、部分的ライン２重化は、同じ非バイナリコードを使用する列内の画素の組に関して実行される。この結果、非常に効率的な部分的ライン２重化が可能であり、一方、部分的ライン２重化は、画像品質に実質的に負の効果を有せず、例えば、異なる非バイナリコードのチェックボードパターンが、アーティファクトを最小化するのに適用される。
【００２３】
本発明の第１の実施例の代わりの実施例に従った方法は、元のデータがサブフィールドのバイナリ分配で符号化され、サブフィールドのバイナリ符号化は行内で互いに隣接する画素についてフレーム時間内で異なる時間シーケンスを有し、サブフィールドについての共通の値は、同じ時間シーケンス内でアドレスされる列内の画素の組について、決定される。
【００２４】
標準のバイナリ分配（即ち、１，２，４，８，１６等）を使用するときに出くわす問題は、例えば、１つの画素については、時間分配は１，２，４，８，１６のように選択されそして、次の画素については、時間分配は１６，８，４，２，１のように選択される、（行内の）隣接画素について異なる時間分配を使用することにより、少なくとも部分的に減少される。時間分配の差は、同じグレー値（例えば、５）を有する隣接画素は、同時に発光されないが、しかし、フィールド時間内の異なる時間スロットで発光されるという効果を有する。
【００２５】
本発明のこの実施例では、部分的ライン２重化は、同じ時間シーケンスでアドレスされる列内の画素の組に実行される。この結果、非常に効果的な部分的ライン２重化が可能であり、一方、部分的ライン２重化は、画像品質に実質的に負の効果を有しない。
【００２６】
代わりの実施例だけでなく第１の実施例では、異なるグレーレベル実現が、加えられるときに同じ重みを有する、異なる個々の重みを有するサブフィールドの異なる組み合わせを作ることにより又は、異なるタイミングを有するが同じ重みを有するサブフィールドの組み合わせにより、得ることができることに注意すべきである。
【００２７】
好ましくは、最も低い１つ又は２つの値（１又は２）を有するサブフィールドは、２重化されず、一方より高いサブフィールドは２重化される。
【００２８】
本発明者は、最も低い値でサブフィールドを２重化するよりはむしろ、２重化のシフト即ち、最も低いサブフィールドよりも高いサブフィールドの組を２重化することは、画像品質、特に静止画品質、を非常に改善することがわかり、そして実験が示したことが分かった。
【００２９】
全てのサブフィールドについての記載されたアドレッシングが、インターレースされた方法で実現される場合にも優位である。その場合には、例えば、減少されたアドレッシングマージン又は（例えば、黒であるべき間の画素放射光の結果となる）画素誤差の効果のように、クロストーク効果が減少される。
【００３０】
本発明は、特に、画素のラインの組を有する表示パネルと、元のライン輝度値を基礎として画素の新たな輝度値を決定するために画素の元のライン輝度値を有する連続するフレームを表す入力信号を受信するデータ処理ユニットと、ラインへ新たなライン輝度値データを供給する駆動回路を有し、駆動回路は選択されたサブフィールドについての同じ値を有するｇラインのグループをアドレスする手段を有する、マトリクス表示装置にも関連する。
【００３１】
本発明のこれらの及び他の面は、添付の図面を参照して、以下に記載の実施例を参照して説明する。
【００３２】
図１は、マトリクス表示パネル５を有する装置の図であり、表示ラインの組（行）ｒ１，ｒ２，．．．ｒＭを示す。マトリクス表示パネル５は、通常は列方向と呼ばれる、第２の方向へ伸びるデータラインの組（列）ｃ１．．．ｃＮを有し、これは表示ラインと交差し、各交差点は画素ｄ１１．．．．．．ｄＮＭを定義する。行と列の数は、同一である必要はない。
【００３３】
マトリクスディスプレイは、表示されるべき画素のラインの輝度に関する情報を有する情報信号Ｄを受信する回路２と、元のライン輝度値Ｄ１，．．．ＤＮを有する、情報信号Ｄに依存してデータラインの組（Ｃ１，．．ＣＮ）をアドレッシングするドライバ回路４を有する。
【００３４】
本発明に従った表示装置は、元のラインの輝度値Ｄ１，Ｄ２，．．．ＤＮを基礎として、画素ｄ１１，．．．ｄＮＭの新たなライン輝度値Ｃを計算する計算又はデータ処理ユニット（３）を有する。選択実施例では、ユニット３は、画像の動きの量を決定する動き決定器３ａを有する（以下を参照する）。
【００３５】
図２は、この例ではプラズマディスプレイのための、いわゆるサブフィールドアドレッシング機構を示す。単一のなプラズマセルは、オフとオンのみが可能であるので、それは、グレーレベルを生成するために使用される。そのような機構の例は図２に示されている。合計のフィールド時間は、サブフィールドに分割され（この場合には６）そして、各サブフィールドは、即ち、消去及び設定段階（ｅ）（全ての画素がリセットされる）、アドレス段階（ａ）（光を放出すべき画素が点灯される）及び維持段階（ｓ）（点灯された画素が光を発生する）の、３つの段階より構成される。そのようなサブフィールドアドレッシング機構は、２つの主な欠点を有する。各サブフィールド期間内で、パネルは、一度に１ラインがアドレスされねばならず、これは非常に時間を消費する。この結果、１つのＴＶフィールド期間の多くの部分は、アドレッシングに使用される。パネルを維持（即ち、光の放射）するのに残された時間は、制限される。従って、アドレッシング時間の減少が望ましく、これは、部分的ライン２重化即ち、幾つかのサブフィールドの２重化を使用して達成される。他の問題は、動きのアーティファクトに関連する。
【００３６】
図３Ａは、部分的ライン２重化の効果を示す。上述のように、１つのフィールド時間の大部分は、（図３Aの上の半分でわかるように）ディスプレイをアドレッシングするのに使用される。維持時間を、部分的ライン２重化によりアドレッシング時間を減少させることにより、増加することが可能である。そのような部分的ライン２重化の基礎は、図３Aの下側半分に概略が示されている。この例では、隣接する又は近くのラインのサブフィールドの幾つかが、同じ駆動器により同じデータでアドレスされ、この結果、アドレッシング時間の減少となる。この結果、図３Aで、＋ｔにより与えられる時間利得がある。この時間利得＋ｔのために、維持時間は増加されることが可能である。
【００３７】
図３Bは、部分的ライン２重化の概略を示す。この図は、データの流れと新たなデータを計算する有するユニット３の機能部分を示すとともに、新たなデータが計算されるアルゴリズムを示すのがわかる。（隣接する又は、互いに近くである）第１のライン３００と第２のライン３０２の元のグレーレベルが、分析される。（ユニット３に含まれる）決定器３０４では、２重化されるべきサブフィールドの値が、決定される。新たな２重化されたサブフィールドデータは、第１ラインの、第２ラインの、ライン２重化されたサブフィールドの元のサブフィールドデータ、２つの平均又は、元のサブフィールドデータを基礎としてアルゴリズムにより計算されたある好ましい値の、いずれかである。第１と第２のラインの新たな２重化されたサブフィールドに対応する、グレーレベルデータが、見つかる、ルックアップテーブル３０６が使用されることが可能である。２重化されるべきサブフィールドに対応するグレーレベルの値は、それぞれの対応する元のグレーレベルデータ３００と３０２から、（ユニット３内の）減算器３０８と３１０で減算される。この減算の結果により、２重化されない第１のラインと第２のラインのサブフィールドが、（ユニット３内の）決定器３１２と３１４で決定される。新たな２重化されたサブフィールドデータは、それぞれ第１と第２のラインの出力データを形成するために、それぞれ第１ラインと第２のラインの残りの新たなサブフィールドデータと、加算器３１６と３１８で結合される。ユニット３の機能要素（決定器、減算器、加算器、ルックアップテーブル）は、そのようなユニット３の集積部分又は、関連する機能を構成するためにこのユニットに接続された個別の構成要素である。そのような機能要素は、ハードウェア（例えば、減算回路のような専用の回路）又はソフトウェア（例えば、関連する計算又は比較を実行するプログラム又はプログラムの一部）の形式でもよい。単一の構成要素又はプログラムは、１つ又はそれ以上の関連する機能を実行しうる。
【００３８】
サブフィールド２重化は、非バイナリサブフィールド分配に関してもなされる可能である。
【００３９】
非バイナリサブフィールド分配は、あるグレーレベル（例えば、’１４’）を、異なる方法で構成することを可能とする。図４Aと４Bは、２つの異なる非バイナリサブフィールド分配を示す。図４Aは、分配１２，８，４，１，２，４，８，１２を示し、一方、図４Bは、分配２４，１６，８，４，１，２，４，８，１６，２４を示す。図４Aは、グレーレベル’１４’は、２つの異なる実現AとBを介して得られることが可能であることを示す（それぞれ符号化Aについてと符号化Bについて選択されたサブフィールドを示す、クロス印を参照する）。図４Bは、同様に、グレーレベル’１４’は、２つの異なる実現（AとB）を介して得られることが可能であることを示す。グレーレベルの各実現は、グレーレベル実現と呼ばれる。グレーレベル実現の組（即ち、１より多くの可能性を有する）を使用することは、近くの画素の同じグレーレベルが、異なって構成されることを可能とする。従って、近くの画素は、同じグレーレベルを示すが、実際には異なる時点で発光されるので（図４Aと４B参照）、動きアーティファクトは強く減少される。動きアーティファクトは、通常は、画素が発光される実際の時間スロットが強度に依存するということにより発生される。動く物体の知覚される位置は、従って、そのグレーレベルに依存するようになる。２つの異なるグレーレベルを使用することにより、１画素単独について見られる、動きアーティファクトは、同じまま残る。しかしながら、動きアーティファクトは、異なるグレーレベル実現については異なるので、平滑化効果がある。動きアーティファクトは、このように、減少される。
【００４０】
図５は、異なるグレーレベル実現を使用する、２つの異なる配置を示す。図の第１の部分（図５ａ）は、純粋なチェッカーボード配置が選択された配置を示し、即ち、第１のＡ及び第２のグレーレベル実現Ｂは、行方向ｒｄと列方向ｃｄに交互に選択されている。
【００４１】
図の第２の部分（ｂ）は、２つのグレーレベル実現が行方向には交互であり一方、列方向には同じグレーレベル実現を有する画素の対が交互に存在する配置を示す。
【００４２】
本発明に従って、部分的ライン２重化は、（図５のように）異なるグレーレベル実現が使用されるがしかし、２重化は同じ非バイナリ符号化を有する画素に関して実行される、機構に関して実行される。図５ａでは、最も単純なそのような機構が示されている。図５ｂでは、更に複雑な機構が示されている。以下では、図５ａに示された機構は、標準パターンＡ／Ｂと呼ばれ、一方、図５ｂに示された機構は、第２パターン２ｘ１Ａ／Ｂと呼ばれる。図４Ａ、４Ｂ、５Ａ及び５Ｂは、データが非バイナリサブフィールド分配を使用して符号化される、本発明の実施例を示す。図４Ａ、４Ｂ及び５は、動きアーティファクトに関する平滑化効果が、隣接する画素についての異なる非バイナリグレーレベル実現を使用することにより得られることが可能である。
【００４３】
図６の上側部分は、バイナリサブフィールド分配についての２つの異なる時間シーケンスＡとＢを示す。これらのバイナリ分配は、番号の異なる組が特定のグレー値を構成するために互いに加えられる（即ち、１４は実現Ａと実現Ｂで８＋４＋２により構成される）ような方法で異ならないが、しかし、同じフィールド期間中のビットの時間シーケンスは異なる。この結果、時間シーケンスＢに基づくグレーレベル実現Ｂを使用するときと比較して、時間シーケンスＡに基づくグレーレベル実現Ａを使用するときは、同じグレーレベルについて、画素は、フィールド期間内で異なる時間スロット中に発光される。これは、広がりそして、それにより、動き誤差を平滑化する。図６の下側部分は、図４Ａと４Ｂの実現ＡとＢでのように、２つの時間シーケンス（実現）ＡとＢで、第２パターン２ｘ１Ａ／Ｂとともに標準パターンＡ／Ｂが構成される。標準パターンＡ／Ｂでは、列と共に行で隣接する画素は、異なる実現Ａ，Ｂを使用して駆動し；第２パターン２ｘ１Ａ／Ｂでは、行で隣接する画素は、異なる実現Ａ，Ｂを使用して駆動されるが、しかし、列方向ｃｄで分かるように、隣接画素の対は、同じ実現Ａ，Ｂを使用して駆動され、一方隣接する対は、異なる実現を使用して駆動される。図６の下側の左側部分は、標準パターンＡ／Ｂは、ラインスキッピングを伴なう部分的ライン２重化を使用し、即ち、行ｒｎと行ｒｎ＋２は、そして、行ｒｎ＋１と行ｒｎ＋３も、部分的にライン２重化される。図６の下側の右側部分は、第２パターン２ｘ１Ａ／Ｂは、隣接する行の対に部分的ライン２重化を実行する、即ち、行ｒｎと行ｒｎ＋１そして、行ｒｎ＋２と行ｒｎ＋３等である。
【００４４】
図７は、どのように、部分的ライン２重化が、図５と６に示された２つのパターンＡ／Ｂ、２ｘ１Ａ／Ｂについて、実行されるかを示す。標準パターンＡ／Ｂでは、部分的ライン２重化は、（黒の帯で示されたように）行ｒｎとｒｎ＋２に、そして、ｒｎ＋１とｒｎ＋３等に実行される。言いかえれば、部分的ライン２重化は、ラインスキッピングで実行され、行により分離されている列の画素の対のサブフィールド（即ち、1ラインをスキッピング）が２重化され、これは、毎回、２つの奇数又は偶数行の２重化されるべきサブフィールドが同時にアドレスされることを意味する。図７（ａ）を図５（ａ）の機構と比較することは、２重化されるべきサブフィールドは、同じ実現（Ａ又はＢのいずれか）を有するサブフィールドであることを示す。同じことが、図７（ｂ）が図５（ｂ）と比較されるときに適用する。第２パターン２ｘ１Ａ／Ｂの場合には、部分的ライン２重化は、隣接ラインについて実行され、それにより、（黒の帯で示されたように）行ｒｎとｒｎ＋１に、そして、ｒｎ＋２とｒｎ＋３等に実行される。実験は、上述の部分的ライン２重化とパターンＡ／Ｂ，２ｘ１Ａ／Ｂの組合せを適用することは、動画像の画質の明らかな改善を生じる。
【００４５】
標準パターンＡ／Ｂは、動画アーティファクトが考えられるときには好ましい機構である。第２パターン２ｘ１Ａ／Ｂは、静止画品質が考えられるときには好ましい機構である。第２パターン２ｘ１Ａ／Ｂは、ｎｘ１Ａ／Ｂパターンの更に一般的な形式の例である。
【００４６】
しかしながら、部分的ライン２重化でアドレスされるサブフィールドの数が増加する場合には、静止画品質の減少に出会う。選択実施例では、動きは、動き検出器で検出される。動きの量は、設定値と比較される。動きの量が設定値よりも小さい場合には、部分的ライン２重化は、隣接ラインについて実行されそして、２ｘ１Ａ／Ｂ機構が使用される。動きの量が設定値よりも大きい場合には、Ａ／Ｂ機構が使用されそして、部分的ライン２重化は、スキッピング方法で使用される。図１に示された概略のアルゴリズムでは、これは、実質的に、動きの量を検出するために動き検出（例えば、後続のフレームと比較し、動きの量、即ち、フレーム間の変化を検出する）を実行し、そして、比較器で検出された量を設定値と比較しそして、検出された量が設定値よりも低い場合には、隣接ラインに部分的ライン２重化を実行すること、に等しい。このために、ユニット３は、動き検出器と比較器を有しうる。この動き検出器と比較器は、画像内の動きの量を決定しそして、（比較の結果に依存して）図３Bに概略が示されたアルゴリズム又は、隣接ラインについて又はラインスキッピング方法での同様なアルゴリズムを実行させる又は、機能に関して分かるように、ユニット３内の構成要素にアルゴリズム内のステップに対応する機能を実行させるように動作へ設定する、スイッチとして動作する。
【００４７】
図８は、部分的ライン２重化をシフトする効果を示し、即ち、最も低い値のフィールド（即ち、１，２等）を２重化しないがしかし、より高い値のサブフィールドの組は２重化する。水平軸に関しては、シフトＳｈが、与えられる（この例では、１０のサブフィールドの非バイナリコードが使用される）。シフトＳｈは、約２−４サブフィールドのシフトＳｈについての最大の効果を有する（垂直軸に示された）静止誤差Ｓｅに関する減少効果を有する。３のシフトＳｈは、３つの最も低い値のサブフィールドが２重化されないことを意味する。異なるラインが、２重化されているサブフィールドの異なる数についてであり；例えば、ＰＬＤ１は、１つのサブフィールドのみが２重化されていることを表し、それにより、３のシフトを有するＰＬＤ１は、４番目に小さいサブフィールドが２重化されていることを意味し、４のシフトを有するＰＬＤ２は、サブフィールド５と６が２重化されていることを意味する等である。実線は、ラインスキッピング無しの部分的ライン２重化を表し、破線はラインスキッピングＰＬＤ１Ｓｋ．．．ＰＬＤ６Ｓｋを有する部分的ライン２重化を表す。全てのラインは、１の又は、好ましくは２又は、それ以上のシフトが、静止誤差を減少させることを示す。
【００４８】
どの部分的ライン２重化法も誤差を加える。そのような誤差は、該して、明るい領域よりも暗い領域で更に目に見える。図３Ｂの決定器では、どのラインに誤差が置かれるかに関する決定がなされる。これは、最も高い又は最も低い強度を有するラインのサブフィールド値を選択することによりなされる。暗い画像領域内の輝度差は、明るい領域の差よりも更に目に見える。従って、最も低い強度を有する画素のサブフィールドの値が好ましくは２重化され；これは以下に’最小動作’と呼ばれる。反対に、即ち、最も高い強度を有する画素のサブフィールド２重化は以下に’最大動作’と呼ばれる。発明者は、’最大動作’を実行することが、動きアーティファクトに関して好ましいことが分かった。動きアーティファクトは、徐々に変化する輝度を有する、即ち、輝度信号の小さな差を有する領域で、最も不快である。
【００４９】
本発明の選択実施例では、従って、画素の元の輝度値の間の差が、図９に示されたように、比較器９０４で比較され、そして、差がしきい値よりも小さいときには、最大動作が、選択器９０６で、最も高い輝度値を有する行ｒｎ又はｒｎ＋２の輝度値を含む、”最大”−ユニット９０２の出力を選択することにより、実行される。同様に、比較器９０４がしきい値より大きい差を検出するときには、最小動作が、選択器９０６で、最も低い輝度値を有する行の輝度値を含む、”最小”−ユニット９００の出力を選択することにより、実行される。他の可能な基準は、２つの入力輝度の１つがある特定のしきい値よりも小さいかどうかを検査することである。そのような場合には、最小動作が実行される。
【００５０】
記載された実施例は、インターレースされたアドレッシング機構とも結合でき、これは、クロストークが減少されるという利点を有する。２重化されるラインは、それらのラインで２重化されるサブフィールドについて同じデータを与えることに、注意すべきである。隣接ラインについてのこれらのデータは同じであるので、クロストークの問題は２重化されるサブフィールドについて、非常に減少される。従って、第１のインターレース実施例は、隣接ラインの非２重化されるサブフィールドに対してのみインターレースを適用し、一方２重化されるサブフィールドは前述のアドレッシングパターンのいずれも有することが可能である。
【００５１】
第２のインターレースの実施例は、非２重化サブフィールドのインターレースされたアドレッシングをラインの対の２重化されたサブフィールドのインターレースされたアドレッシングと組み合わせることにより得られ、第２のパターン２ｘ１Ａ／Ｂがアドレッシング機構として適用される。これは、図１０に示されている。最初にＡ，Ｂパターンを含むラインの対により、従って行ｒ２と共に行ｒ１、次にｒ６と共に行ｒ５等が、アドレスされる。一旦、すべてのこれらの対がアドレスされると、Ａ’，Ｂ’パターンを含む、ｒ４と共に行ｒ３が次に、行ｒ８と共に行ｒ７等の、スキップされた対が、アドレスされる。２重化されたサブフィールドについてこの機構を適用することにより、異なるデータを有する２つの連続するライン（行ｒ２とｒ３のような）が、互いのすぐ後にアドレスされるのが避けられ、それによりクロストークが避けられる。
【００５２】
第３のインターレースの実施例は、非２重化サブフィールドのインターレースされたアドレッシングを、ラインスキッピングの方法で２重化サブフィールドのインタレースされたアドレッシングと組み合わせる。図１１は、インターレースされたアドレッシングが、それぞれ、隣接する奇数ラインの対と、隣接する偶数ラインの対の２重化されたサブフィールドに適用されることを示し、これらは、標準パターンＡ／Ｂを使用してアドレスされる。最初に、行ｒ３と共に行ｒ１はアドレスされ（行ｒ１と行ｒ３は同じデータで駆動され、行ｒ２をスキップする）、次に行ｒ７と共に行ｒ５はアドレスされる。一旦全ての奇数行がアドレスされると（全Ａ，Ｂパターン）、スキップされた偶数行、従って、行ｒ４と共に行ｒ２、次に行ｒ８と共に行ｒ６等は、アドレスされる（全Ａ’，Ｂ’パターン）。この機構の利点も、小クロストークであり、これは、同じデータを有する隣接ラインの同時のアドレスが発生することが避けられることによるものである。
【００５３】
本発明の最も重要な実際例は、次のように要約される：
マトリクス形式の表示装置（１）は、部分的ライン２重化、即ち、画素についてのサブフィールドが２重化される方法、即ち、同じデータが画素の組について使用される、を使用してアドレスされる。行内の隣接画素は、異なる非バイナリコードでアドレスされるか又は、画素がバイナリコードでアドレスされるときには、隣接画素についてのバイナリコードについて異なる時間シーケンスを有するかのいずれかである。部分的ライン２重化は、同じ非バイナリコードで又は同じ時間シーケンスでアドレスされる列内の隣接画素の組に実行される。標準パターンＡ／Ｂ又は、第２パターンｎｘ１Ａ／Ｂのいずれかを適用することにより、２つの異なるアドレッシング機構が、使用されてもよい。後者の機構では、部分的ライン２重化は、ラインスキッピングの方法で実行される。ラインと列を交換することも可能である。本発明は、サブフィールドモードが適用される表示装置に適用可能である。
【００５４】
上述の実施例は本発明を限定するのではなく、説明するためであり、当業者は、添付の請求項の範囲から離れること無しに多くの代わりの実施例を設計できることは、注意すべきである。請求項では、括弧間の参照記号は請求項を限定すると解釈すべきでない。単語”含む、有する”は、請求項に記載された以外の構成要素又はステップの存在を除外しない。構成要素に先行する単語”ａ”又は”ａｎ”は、複数のそのような構成要素の存在を除外しない。本発明は、幾つかの別個の構成要素を有するハードウェアの手段により、及び、適当にプログラムされたコンピュータにより実行されることが可能である。幾つかの手段を列挙する装置の請求項では、これらの手段の幾つかは、ハードウェアの１つのそして同じもので実現されうる。ある特定の手段が相互に異なる従属請求項で引用されているという単なることは、これらの手段の組合せが、利点を与えるのに使用されることができないことを示すのではない。
【図面の簡単な説明】
【００５５】
【図１】マトリクス表示装置の概略を示す。
【図２】サブフィールドアドレッシング機構を示す。
【図３Ａ】部分的ライン２重化機構を示す。
【図３Ｂ】アルゴリズム形式での部分的ライン２重化機構を示す。
【図４Ａ】各分配についての’１４’グレーフィールドを構成する２つの方法を有する２つの異なる非バイナリサブフィールドの概略を示す。
【図４Ｂ】各分配についての’１４’グレーフィールドを構成する２つの方法を有する２つの異なる非バイナリサブフィールドの概略を示す。
【図５】分配された非バイナリサブフィールド分配についての２つの異なる配置の概略を示す。
【図６】異なる時間シーケンスを有するバイナリコードの概略を示す。
【図７】図５の部分的ライン２重化機構を示す。
【図８】サブフィールド２重化シフトの関数としての静止誤差を示す。
【図９】サブフィールドの２重化についての機構を示す。
【国際公開パンフレット】
2004537071.tif 000002
2004537071.tif 000003
2004537071.tif 000004
2004537071.tif 000005
2004537071.tif 000006
2004537071.tif 000007
2004537071.tif 000008
2004537071.tif 000009
2004537071.tif 000010
2004537071.tif 000011
2004537071.tif 000012
2004537071.tif 000013
2004537071.tif 000014
2004537071.tif 000015
2004537071.tif 000016
2004537071.tif 000017
2004537071.tif 000018
2004537071.tif 000019
2004537071.tif 000020
2004537071.tif 000021
2004537071.tif 000022
2004537071.tif 000023
2004537071.tif 000024
2004537071.tif 000025
【国際調査報告】
2004537071.tif 000026
2004537071.tif 000027
2004537071.tif 000028